(57)【要約】【課題】経時的に状況が変化する事象に関する実況情報を、要求側の確認動作なしにリアルタイムで提供する。【解決手段】配信管理システム１０は、中継現場８０に設けられた中継用端末８４から実況情報を取得すると、取得情報に基づいて配信データを作成し、配信データベース３０に格納する。次に、配信プログラム４４により、登録者データベース２８が参照され、中継情報の配信を希望する登録者７０の端末６０にメールが配信される。登録者７０は、配信されたメールのタイトルにより、メール本文の主要な内容を把握することができる。また、メール本文に含まれるアクセス情報に基づいて配信管理システム１０にアクセスすることにより、Ｗｅｂページ用データ又は音声データが抽出され、Ｗｅｂ上で詳細情報を確認したり、テレホンサービスにより音声によって詳細情報を把握することができる。【選択図】　　　図１
2004078663.tif 000002
【特許請求の範囲】
【請求項１】
経時的に状況が変化する事象に関する情報を、要求側へ提供する情報配信方法であって、
前記事象に関する詳細情報を提供する詳細情報提供手段へのアクセス情報を含む中継情報を、生成毎にネットワークを通じて前記要求側へ配信することを特徴とする情報配信方法。
【請求項２】
経時的に状況が変化する事象に関する情報を、要求側へ提供する情報配信方法であって、
前記事象に関する実況情報を、外部から取得するステップ，
取得した実況情報に基づいて生成された前記事象に関する詳細情報と、該詳細情報を提供する詳細情報提供手段へのアクセス情報を含む中継情報を、データベースに記憶するステップ，
前記中継情報の生成毎に、該中継情報をネットワークを通じて前記要求側へ配信するステップ，
を含むことを特徴とする情報配信方法。
【請求項３】
前記要求側から前記アクセス情報に基づく詳細情報の取得要求があったときに、前記データベースを参照して前記アクセス情報に該当する詳細情報のデータを抽出するステップ，
抽出したデータに基づいて、前記要求側に詳細情報を提供するステップ，
を含むことを特徴とする請求項１又は２記載の情報配信方法。
【請求項４】
前記詳細情報が、画面又は音声の少なくともいずれか一方によって提供されることを特徴とする請求項１〜３のいずれかに記載の情報配信方法。
【請求項５】
前記要求側に配信される中継情報に付与されるタイトルが、前記中継情報又は詳細情報中の主要な内容を表すことを特徴とする請求項１〜４のいずれかに記載の情報配信方法。
【請求項６】
経時的に状況が変化する事象に関する情報を、ネットワークを通じて要求側端末へ配信する情報配信サーバであって、
前記事象に関する実況情報を、外部から取得する情報取得手段，
該情報取得手段によって取得した実況情報に基づいて生成された前記事象に関する詳細情報と、該詳細情報を提供する詳細情報提供手段へのアクセス情報を含む中継情報を記憶したデータベース，
前記中継情報の生成毎に、該中継情報を前記要求側端末へ配信する配信手段，を備えたことを特徴とする情報配信サーバ。
【請求項７】
前記要求側端末から前記アクセス情報に基づく詳細情報の取得要求があったときに、前記データベースを参照して前記アクセス情報に該当する詳細情報のデータを抽出するデータ抽出手段，
を備えるとともに、前記詳細情報提供手段は、前記データ抽出手段によって抽出されたデータに基づいて、前記要求側端末に詳細情報を提供することを特徴とする請求項６記載の情報配信サーバ。
【請求項８】
前記詳細情報提供手段は、画面表示手段又は音声出力手段の少なくともいずれか一方を含むことを特徴とする請求項６又は７記載の情報配信サーバ。
【請求項９】
前記生成された中継情報又は詳細情報の内容を参照して前記いずれかの情報中の主要な内容を表すキーワードを抽出し、該抽出したキーワードに基づいて前記中継情報のタイトルを生成するタイトル生成手段，
を備えたことを特徴とする請求項６〜８のいずれかに記載の情報配信サーバ。
【請求項１０】
請求項６〜９のいずれかに記載の情報配信サーバ，
該情報配信サーバから配信された情報を受信する端末，
を含むことを特徴とする情報配信システム。
【発明の詳細な説明】
【０００１】
【発明の属する技術分野】
本発明は、情報配信方法，情報配信サーバ，情報配信システムに関し、更に具体的には、スポーツの試合などのように状況が経時的に変化する事象についての情報提供に好適な情報配信方法，情報配信サーバ，情報配信システムに関するものである。
【０００２】
【背景技術】
近年の通信技術の発達により、インターネットに代表されるネットワークに接続可能な各種端末を利用して、様々な情報の入手が可能となっている。例えば、ニュースやスポーツの速報などをＷｅｂ上で公開したり、Ｅメールでユーザに配信したりするサービスが提供されている。このようなサービスを利用するための端末機としては、デスクトップ型のＰＣ（パーソナルコンピュータ）や、携帯用のノート型ＰＣのほか、ブラウザ機能を搭載した無線通話用の携帯電話やＰＨＳ及びこれらを利用したＰＤＡなどの携帯端末が含まれる。
【０００３】
【発明が解決しようとする課題】
しかしながら、以上のような背景技術には次のような不都合がある。例えば、配信を希望する情報がスポーツに関するものである場合、ユーザにとってはその対戦結果のみならず、途中経過が重要であることが多い。このため、対戦中に発生するイベントを見逃さないようにするためには、インターネットに頻繁に接続して（あるいは常時接続して）情報を提供するサイトにアクセスし、最新情報に更新する必要がある。ところが、対戦時間中に外出していたり仕事中であったりしてインターネットにアクセスできなかったり頻繁に更新を行うことができないと、途中経過を把握することができず、後で結果のみを見ることになり満足感が得られない。また、ユーザ側から頻繁に更新を行うと、情報発信側のサーバには不特定多数の接続が集中するため、負荷が膨大となり、一時的に接続不良が生じたり情報更新が滞ったりすることもある。
【０００４】
この発明は、以上の点に着目したもので、例えば、スポーツの試合のように、経時的に状況が変化する事象に関する実況情報を、要求側のユーザの操作なしにリアルタイムで提供することができる情報配信方法，情報配信サーバ，情報配信システムを提供することを、その目的とするものである。
【０００５】
【課題を解決するための手段】
前記目的を達成するため、本発明は、経時的に状況が変化する事象に関する情報を要求側へ提供するにあたり、前記事象に関する詳細情報を提供する詳細情報提供手段へのアクセス情報を含む中継情報を、生成毎にネットワークを通じて前記要求側へ配信することを特徴とする。
【０００６】
他の発明は、経時的に状況が変化する事象に関する情報を要求側へ提供するにあたり、前記事象に関する実況情報を外部から取得し、取得した実況情報に基づいて生成された前記事象に関する詳細情報と、該詳細情報を提供する詳細情報提供手段へのアクセス情報を含む中継情報をデータベースに記憶し、前記中継情報の生成毎に該中継情報をネットワークを通じて前記要求側へ配信することを特徴とする。
【０００７】
主要な形態の一つでは、前記要求側から前記アクセス情報に基づく詳細情報の取得要求があったときに、前記データベースを参照して前記アクセス情報に該当する詳細情報のデータを抽出し、抽出したデータに基づいて前記要求側に詳細情報を提供することを特徴とする。
【０００８】
他の形態は、前記詳細情報が、画面又は音声の少なくともいずれか一方によって提供されることを特徴とする。更に他の形態は、前記要求側に配信される中継情報に付与されるタイトルが、前記中継情報又は詳細情報中の主要な内容を表すことを特徴とする。本発明の前記及び他の目的，特徴，利点は、以下の詳細な説明及び添付図面から明瞭になろう。
【０００９】
【発明の実施の形態】
＜実施形態のシステム構成＞……以下、本発明の実施の形態について詳細に説明する。本実施形態の情報配信システムは、インターネットに代表されるネットワークを利用して、野球やサッカー等のスポーツのように経時的に状況が変化する事象に関する情報を、リアルタイムで要求側に提供するものであり、例えば、外出や仕事の予定でＴＶやラジオの中継を見ることができない人や、ＴＶやラジオによる中継がない試合，チケットが手に入らず観戦できない人など向けに、Ｅメール（電子メール）で途中経過や結果を中継するものである。
【００１０】
図１には、本発明にかかる一実施形態のシステムの全体構成が示されている。本実施形態の情報配信システムは、中継現場８０から取得した実況情報を多数の登録者７０にメール配信する配信管理システム１０と、該配信管理システム１０に対して前記中継現場８０から実況情報を中継する中継用端末８４，前記配信管理システム１０から中継情報のメール配信を受ける登録者７０の端末６０により構成されている。登録者端末６０は、携帯電話，ＰＨＳ，ＰＣなど、メールの受信機能を有するものであればどのようなものであってもよい。これら配信管理システム１０，中継用端末８４，登録者端末６０は、プロバイダや通信網（いずれも図示せず）を通じてインターネット９０に接続されている。また、登録者７０の端末６０は、端末６０Ａ，６０Ｂ……などのように通常多数存在しており、中継用端末８４についても同様に多数存在している。
【００１１】
まず、同図に示すように、配信管理システム１０は、インターネット９０へ接続するためのルータなどの通信部１２，電子メールの送受信を行うためのメールサーバ１４，ＨＴＭＬなどの情報提供をするためのＷＷＷサーバ１６，キーボードやスキャナなどの入力部１８，ディスプレイなどの表示部２０，テレホンサービスなどを行うための音声出力部２４を含む出力部２２により構成されている。また、これら各部には、プログラムやデータを格納したり、ＣＰＵによる各種演算に利用されるハードディスク２６が接続されている。
【００１２】
前記ハードディスク２６には、データベースとして、▲１▼登録者データベース２８，▲２▼配信データベース３０が格納されており、更に、プログラムとして、▲３▼登録者情報管理プログラム３８，▲４▼外部情報取得プログラム４０，▲５▼配信情報生成管理プログラム４２，▲６▼配信プログラム４４，▲７▼データ抽出プログラム４６，などが格納されている。また、前記外部情報取得プログラム４０により取得した情報を一時データ５０として記憶する領域も確保されている。
【００１３】
これらのうち、登録者データベース２８は、配信管理システム１０による各種中継情報のメール配信サービスを希望する登録者７０の情報を集積したものである。登録者７０の情報としては、たとえば、氏名、メールアドレス（配信先），端末の種類、配信を希望するメールの種類（例えば、サッカーの＊＊対△△の試合，特定の野球の球団が出る試合，……など），登録者７０の利用端末が携帯電話又はＰＨＳであって、配信サービスの利用料金が電話会社の代金収納サービスによって行われる場合にはその電話番号及び電話会社，あるいは、登録者７０の利用端末がＰＣであって、配信サービスの利用料金がクレジットカードによって支払われる場合にはクレジットカード番号などである。
【００１４】
また、配信データベース３０は、メールデータベース３２，Ｗｅｂページ用データベース３４，音声データベース３６を含んでいる。メールデータベース３２は、登録者７０の端末６０へ配信されるメールの本文やそのタイトルのほか、メール及びタイトルの生成に利用される定型文などが含まれている。Ｗｅｂページ用データベース３４は、ＷＷＷサーバ１６によって登録者端末６０へ提供される詳細情報用のＨＴＭＬファイルや画像ファイルを集積したものであり、音声データベース３６は、前記Ｗｅｂページによる詳細情報と同等の詳細情報を、音声出力部２４によって再生するための音声データを集積したものである。なお、音声データとしては、中継現場８０の場内の音声及び実況音声などであってもよい。
【００１５】
登録者情報管理プログラム３８は、本システムの利用者を、配信管理システム１０の登録者として管理するもので、登録者自身によってインターネット９０上で登録された情報を、登録者データベース２８に反映させる処理を行う。もちろん、新規登録のみでなく、メールアドレスや配信希望メールの種類の変更や追加などといった更新の必要性が生じた場合や削除する場合なども、その内容を登録者データベース２８に反映させることとなっている。外部情報取得プログラム４０は、中継現場８０の中継用端末８４から実況情報を取得し、取得した情報を、一時データ５０としてハードディスク２６内に記憶する。
【００１６】
配信情報生成管理プログラム４２は、前記一時データ５０に基づいて作成された配信用データ、すなわち、メールデータ，Ｗｅｂページ用データ，音声データを、前記メールデータベース３２，Ｗｅｂページ用データベース３４，音声データベース３６に記憶するとともに、これらのデータの生成に必要な処理やデータの更新・削除などのメンテナンスを行う。
【００１７】
また、配信情報生成管理プログラム４２は、タイトル生成プログラム４２Ａを含んでいる。該タイトル生成プログラム４２Ａは、配信用メールデータ又はＷｅｂページ用データの本文中に含まれる所定のキーワードを抽出し、抽出したキーワードに基づいて配信メールのタイトルを自動生成する機能を有しており、中継情報の主要な内容をタイトルに反映させることができる。タイトル生成プログラム４２Ａによるタイトル生成手法については後述する。更に、配信情報生成管理プログラム４２には、配信メールの本文に詳細情報提供用のＷｅｂページのＵＲＬやテレホンサービスの電話番号などのアクセス情報を付与するプログラムなどを、必要に応じて設けるようにしてもよい。
【００１８】
配信プログラム４４は、前記登録者データベース２８と前記メールデータベース３２に格納された配信メールデータを参照し、生成されたメールデータの配信を希望する登録者に対して、メールサーバ１４を介してメール配信を行う。また、データ抽出プログラム４６は、配信メールの本文に含まれる詳細情報へのアクセス情報に基づいて登録者７０から詳細情報の提供要求があったときに、前記Ｗｅｂページ用データベース３４及び音声データベース３６を参照し、該当するデータを抽出するものである。抽出されたデータがＷｅｂページ用データである場合には、ＷＷＷサーバ１６によってＨＴＭＬファイルが登録者端末６０へ送信され、抽出されたデータが音声データである場合には、音声出力部２４によってデータが再生される。登録者は、電話回線交換局９２を介して、任意の通話手段により再生された音声ガイドを聞いて詳細情報を把握する。
【００１９】
前記メールデータベース３２，Ｗｅｂページ用データベース３４，音声データベース３６は、一つの配信データベース３０中に前記各データベースが個々に存在しているが、それぞれ別個のデータベースであるとしてもよい。また、前記各プログラムについても、それぞれ独立に用意してもよいし、一つのシステムプログラムに含まれるモジュール又はルーチンとして用意してもよい。
【００２０】
次に、登録者７０が使用する端末６０は、インターネット９０接続用の通信部６２，配信管理システム１０が提供するＷｅｂページや電子メールの内容を表示する表示部６４，登録条件の入力・選択や電話番号の入力を行うための入力部６５，配信管理システム１０が提供するテレホンサービスを聞いたり、通常の通話で利用されるスピーカなどの出力部６６が設けられている。また、端末６０には、メモリやハードディスクなどのプログラム格納部６８に、インターネット９０に接続してＷｅｂページを閲覧するためのＷＷＷブラウザ６８Ａのほか、電子メールの送受信を行うためのメーラー６８Ｂに相当するプログラムないしモジュールが組み込まれている。他の登録者端末６０Ａ，６０Ｂ……の構成も基本的には同様である。
【００２１】
これら端末６０，６０Ａ，６０Ｂ……は、通信部６２を介して、図示しないプロバイダや通信網によってインターネット９０に接続することが可能となっている。なお、端末６０においては、ＷＷＷブラウザ６８Ａは必ずしも必要ではないが、該機能を備えていることにより、配信管理システム１０へのサービスの申し込み，中継情報の受信，詳細情報の取得までが一端末で可能となるため好都合である。
【００２２】
一方、スタジアムなどの中継現場８０には、ノートＰＣなどの中継用端末８４が設置されており、該中継用端末８４は、通信部８６を介してインターネット９０経由で配信管理システム１０へ実況情報を中継する。このような中継用端末８４には、デジタルカメラなどの撮影装置８２が接続されており、これによって撮影した画像のデータを、リアルタイムで配信管理システム１０へ送信することが可能となっている。もちろん、中継用端末８４にも、キーボードなどの入力部やディスプレイなどの表示部が備えられている。なお、中継現場８０と配信管理システム１０間の情報授受は、インターネット９０経由に限らず、電話やファクシミリなどの手段であってもよい。
【００２３】
＜実施形態の動作＞……次に、図２〜図５を参照して、本実施形態の動作を説明する。図２は、配信管理システム１０へのメール配信サービスの登録手順の一例を示すフローチャートであり、図３は、実況情報の配信手順の一例を示すフローチャートである。図４は、配信管理システム１０側における配信データ生成手順の一例を示すフローチャートである。図５は、登録者端末６０側における各種情報の画面表示例及び音声出力例を示す図である。なお、本実施形態では、中継現場８０において野球の試合が行われているものとして、以降の動作を説明する。
【００２４】
配信メールの希望者は、図２に示すように、予め配信管理システム１０へアクセスしてメール配信の申し込みを行う。配信管理システム１０のＨＰ（ホームページ）へのアクセス動作は、通常のインターネットによるＨＰの閲覧と同様である。すなわち、登録者（ないし登録希望者）７０は、端末６０の通信部６２を介してインターネット９０に接続し、ＷＷＷブラウザ６８Ａに配信管理システム１０のＨＰのＵＲＬを入力して、Ｗｅｂページの情報転送を要求する（ステップＳ１０）。これを受けた配信管理システム１０のＷＷＷサーバ１６では、必要なページのファイルデータをＷｅｂページ用データベース３４から読み出して、端末６０に転送する（ステップＳ１２）。
【００２５】
このようにして登録者７０が配信管理システム１０のＨＰへアクセスすると、表示部６４に所定の登録画面が表示される（ステップＳ１４）。登録画面には、登録者７０に関する情報を入力する欄のほか、メール配信サービスを行っているメールの種類のリストなどが表示される。ここで登録者７０は、入力部６５によって所定の登録内容（例えば、名前，メールアドレス，配信希望メールの種類，電話番号，サービス利用料の支払方法など）の入力又は選択を行う（ステップＳ１６）。入力又は選択された内容が配信管理システム１０に転送されると（ステップＳ１８）、配信管理システム１０では、登録者情報管理プログラム３８の実行により、取得情報が登録者データベース２８に登録される（ステップＳ２０）。
【００２６】
以降の図３及び図４に示す中継情報の配信動作は、上述した手順により登録者７０によってメール配信の登録が事前に行われているものとして説明する。配信管理システム１０は、中継現場８０からの中継又は結果情報の提供を待つ（ステップＳ３０）。外部情報取得プログラム４０により、中継現場８０の中継用端末８４から情報を取得すると（ステップＳ３２）、取得した情報は一時データ５０として記憶され、該一時データ５０に基づいて配信データ（メールデータ，Ｗｅｂページ用データ，音声データ）が作成される（ステップＳ３４）。
【００２７】
配信データの作成手法はどのようなものであってもよいが、一例を示すと、図４のようになる。配信管理システム１０では、中継現場８０から中継又は結果情報を取得すると（ステップＳ３２）、まず、取得した情報を元に、詳細情報をＷｅｂ上で提供するＷｅｂページ用データとテレホンサービスで音声ガイドを行うための音声データを作成する（ステップＳ７０）。そして、詳細情報用のＷｅｂページのＵＲＬ及びテレホンサービスの電話番号を含む配信メールの本文を作成する（ステップＳ７２）。なお、前記詳細情報やメール本文は、一時データ５０をもとに、事前に用意した定型文などを利用して配信管理システム１０側で編集者などが作成するようにしてもよいし、中継現場８０で中継用端末８４によって編集された内容をそのまま使用するようにしてもよい。音声データについても同様である。なお、このとき、リンク情報を付与するプログラムを実行して、ＷｅｂページのＵＲＬやテレホンサービスの電話番号を、自動的にメール本文に組み込むようにしてもよい。
【００２８】
メール本文が作成されたら、タイトル生成プログラム４２Ａにより、メール本文又は詳細情報用Ｗｅｂページの本文中に含まれる所定のキーワードを抽出し、抽出されたキーワードに基づいて配信メールのタイトルが自動生成される（ステップＳ７４）。タイトルの自動生成の手法としては、例えば、▲１▼メール本文又は詳細情報中の所定のキーワードのうち、記載頻度の多いものから順に適当数ピックアップして整列させる，▲２▼キーワードに優先順位を設け、最も優先順位の高いキーワードに適した定型文を選択してタイトルとする，などである。
【００２９】
定型文としては、例えば、「清原＊＊号ＨＲ」などといった予め想定される状況を定型文として事前に用意することにより速やかなメールデータの作成が実現する。また、このように、重要なキーワードを利用してタイトルを生成することにより、登録者７０は、メール本文の内容を見ることなく、主要な内容を知ることができるとともに、メールの受信履歴から大まかな試合の流れを把握することができるようになる。以上のようにしてタイトルが生成されたメールデータ，Ｗｅｂページ用データ，音声データは、配信情報生成管理プログラム４２により、それぞれのデータベースに格納される（ステップＳ３６）。
【００３０】
以上のようなデータの作成は、中継用端末８４より情報を取得するたびに行われる。情報取得のタイミングとしては、例えば、野球であれば、回の終了毎，得点毎，試合終了後，選手交替時などであるが、試合開始前に先発メンバー等の情報を配信することを制限するものではない。
【００３１】
次に、図３に戻って、データベースに格納されたメールデータは、配信プログラム４４によって登録者データベース２８に登録された登録者のうちの配信希望者に、メールサーバ１４を介してメール配信される（ステップＳ３８）。登録者７０側では、端末６０により配信メールを受信し（ステップＳ４０）、そのタイトルを確認する（ステップＳ４２）。図５（Ａ）には、端末６０が携帯電話やＰＨＳである場合の受信画面１００が示されている。同図（Ａ）に示すように、受信画面１００には、「＊＊＊＠ａｂｃ．ｎｅ．ｊｐ」といった配信メールの送信者（この場合は配信管理システム１０）１０２，「７／２　１８：３２」などの受信日時１０４，タイトル１０６などが示されている。図示の例では、タイトル１０６は、「巨人対阪神　江藤ツーベース！」となっており、メール本文の内容を見ることなく主要な内容を知ることができる。
【００３２】
タイトルを確認した登録者７０が、メール本文を見る必要がないと判断したときには（ステップＳ４４でＮｏ）、ステップＳ４０に戻り、次回のメール配信を待つ。一方、メール本文を見ることを選択した場合（ステップＳ４４でＹｅｓ）には、端末６０の表示ボタン１０８を押して、図５（Ｂ）に示すようなメール本文を表示して確認する（ステップＳ４６）。本文画面１１０には、本文１１２，詳細情報を提供するＷｅｂページへのリンク情報（ＵＲＬ）１１４，同じく詳細情報を音声で提供するテレホンサービスの電話番号１１６が記載されている。図示の例では、本文１１２は「ただいま２回裏　打者江藤１アウトカウント０−１から左中間ツーベース！…」，リンク情報１１４は「ｈｔｔｐ：／／ｗｗｗ．ａｂｃ．／＊＊＊ｈｔｍｌ」，電話番号１１６は「０４８−１２３−５６７８」となっている。
【００３３】
ここで、詳細情報が必要ない場合（ステップＳ４８でＮｏ）には、ステップＳ４０に戻り、次のメール配信を待つようにしてもよいし、後で改めて詳細情報を確認するようにしてもよい。詳細情報を希望する場合（ステップＳ４８でＹｅｓ）、Ｗｅｂページの閲覧かテレホンサービスの利用か詳細情報の取得形態を選択し（ステップＳ５０）、選択した形態に応じて、配信管理システム１０に詳細情報の提供を要求する（ステップＳ５２）。
【００３４】
ここで、登録者７０がＷｅｂページの閲覧を選択した場合，すなわち、リンク情報１１４に基づいて配信管理システム１０にアクセスした場合（ステップＳ５４でＹｅｓ）には、データ抽出プログラム４６の実行により、Ｗｅｂページ用データベース３４から該当するＨＴＭＬファイルが抽出され（ステップＳ５６）、ＷＷＷサーバ１６により端末６０へ抽出ファイルが転送される（ステップＳ５８）。登録者７０側では、例えば、図５（Ｃ）に示すような詳細画面１２０が端末６０の表示部６４に表示される（ステップＳ６４）。図示の例では、登録者７０が端末としてＰＣを利用してＷｅｂページへアクセスした例が示されており、本文１２２に加えて、画像１２４も掲載されている。なお、ここでは、ＰＣを利用して詳細情報を公開するＷｅｂページを閲覧することとしたが、ＷＷＷブラウザ６８Ａを有する携帯電話などでも同様の画面を閲覧することが可能である。
【００３５】
一方、登録者７０が、図５（Ｂ）に示す本文画面１１０に記載されたテレホンサービスの電話番号１１６に電話をかけて音声による詳細情報を得る場合（ステップＳ５４でＮｏ）には、データ抽出プログラム４６が音声データベース３６を参照し、該当する音声データが抽出される（ステップＳ６０）。抽出された音声データは、音声出力部２４により再生され（ステップＳ６２）、図５（Ｄ）に示すように登録者端末６０の出力部６６から、「左中間打ったー！」などのように音声出力される。以上のようにして、登録者７０は、音声通話を利用したテレホンサービスによっても詳細情報を把握することができる（ステップＳ６４）。
【００３６】
上述したいずれかの方法によって詳細情報を取得（ステップＳ６４）したのち、ゲームが終了していない場合（ステップＳ６６）には、再度ステップＳ４０に戻って次の中継又は結果情報のメール配信を待つ。ゲームが終了しており（ステップＳ６６でＹｅｓ）、結果メールを受信していない場合（ステップＳ６８でＮｏ）には、結果メールの受信を待ち、結果メールを受信した時点（ステップＳ６８でＹｅｓ）でメール配信の対象となる試合に関する中継情報の配信は終了となる。
【００３７】
＜実施形態の効果＞……このように、本実施形態によれば、次のような効果が得られる。
（１）中継現場８０から情報を得る都度、登録者７０の端末６０へ中継情報をメール配信することとしたので、登録者７０は、現在行われている競技などの状況を自動的にリアルタイムで把握することができる。
【００３８】
（２）配信メールの本文に、更に詳細な情報を提供するためのＷｅｂページのＵＲＬ及びテレホンサービスの電話番号を設けることとしたので、登録者７０は都合のよいときに詳細な情報を入手することができる。
【００３９】
（３）前記配信メールのタイトルを、メール本文又はＷｅｂページ上での詳細情報の本文から抽出されたキーワードに基づいて生成することとしたので、登録者７０は、メール本文を読むことなく、タイトルのみでメールの主要な内容を知ることができる。また、このようにタイトルに情報の内容を反映することにより、メールの履歴画面を見るだけで、大まかな試合の流れを把握することできる。例えば、図５（Ｅ）に示す履歴画面１３０には、メールの受信時刻，送信者，タイトルが、「１８：３２　ａｂｃ　巨人対阪神　江藤ツーベース」，「１８：３７ａｂｃ　巨人対阪神　２回表終了０−１」，……「２０：０１　ａｂｃ　巨人対阪神松井満塁アーチ」などのように受信時刻順に表示されている。登録者７０は、このように経時的に表示されたメールタイトルにより、本文を見ることなく試合の流れを把握できる。更に、前記メールタイトルを自動生成することとしたので、速やかなメール送信を実現することができる。
【００４０】
＜他の実施形態＞……本発明には数多くの実施形態があり、以上の開示に基づいて多様に改変することが可能である。例えば、次のようなものも含まれる。
（１）図１に示したシステム構成は一例であり、同様の効果を奏するように適宜変更してよい。例えば、前記形態では、登録者７０の保有する端末６０のＷｅｂブラウジング機能を利用して配信管理システム１０への登録を行うこととしたが、登録者７０の端末はメール送受信機能のみを有するものであってもよい。この場合、登録者７０は、他のインターネットへの接続環境を利用して事前登録をするようにすればよい。また、中継現場８０で利用される中継用端末８４も、ノートＰＣに限らず、携帯電話やＰＤＡ等の小型の携帯端末を利用するようにしてもよい。更に、前記形態では、配信管理システム１０外に中継用端末８４を設けることとしたが、配信対象となる情報の種類により配信管理システム１０単独で情報を取得できる場合には、必ずしも中継用端末８４は必要ではない。
【００４１】
（２）前記実施形態として示した動作や詳細情報の提供方法は一例であり、必要に応じて適宜変更してよい。また、詳細情報を見るためのＵＲＬを、内容に応じて複数用意するようにしてもよい。例えば、巨人ファンと阪神ファンのページを別個に用意するなどである。テレホンサービスによる詳細情報の提供についても同様である。また、これらの詳細情報の提供を、期間を定めて行うようにしてもよい。このようにすることにより、登録者７０が外出先で詳細情報を確認することができない場合でも、時間の都合がつき次第、改めて詳細情報を入手することができる。
【００４２】
（３）前記形態では、野球の試合の中継を例にあげて説明したが、サッカーやラグビーの試合，相撲の取組などについても実況情報をメール配信可能である。また、本発明は、スポーツに限らず、台風情報や電車の遅延情報，会議，コンサート，競馬など、経時的に状況が変化するもの全般に対して適用可能である。
【００４３】
（４）前記形態における配信のタイミングも一例であり、必要に応じて適宜変更してよい。例えば、前記形態のように野球の試合を中継する場合には、試合開始前（先発メンバー等）や回の終了毎、得点毎、試合終了後など、途中経過，試合結果を登録者７０の端末６０に配信するようにしてもよいし、野球以外の他のイベントなどに関しては、所定の時間ごとにメールを配信するようにしてもよい。
【００４４】
（５）また、前記形態で登録者７０側へ向けて発信する情報の形態を特に限定するものではない。前記形態では、ＨＴＭＬで記述された形態の情報を発信することとしたが、コンパクトＨＴＭＬ，ＳＧＭＬ，ＸＭＬなどの各種の言語で記述された形態の情報であってもよい。また、機種依存する形態の情報に変換することも可能である。この場合には、配信管理システム１０側に機種依存形態の情報に変換する機能を設けるようにすればよい。
【００４５】
【発明の効果】
以上説明したように、本発明によれば、経時的に状況が変化する事象についての実況情報を得る都度、情報要求側へ中継情報を配信することとしたので、要求側は、能動的に確認動作を行うことなく、前記事象に関する途中経過をリアルタイムで把握することができる。また、前記中継情報が、詳細情報の提供先へのアクセス情報を含むこととしたので、要求側は該アクセス情報に基づいてより詳細な情報を入手することができる。更に、前記要求側に配信される中継情報に付与されるタイトルが、情報中の主要な内容を表すこととしたので、タイトルから中継情報の主要な内容を把握することができる。
【図面の簡単な説明】
【図１】本発明の一実施形態のシステム構成を示すブロック図である。
【図２】前記形態におけるメール配信の登録手順の一例を示すフローチャートである。
【図３】前記形態における情報配信手順の一例を示すフローチャートである。
【図４】前記形態における配信データ生成手順の一例を示すフローチャートである。
【図５】前記形態における要求側端末の画面表示例及び音声出力例を示す図である。
【符号の説明】
１０…配信管理システム
１２…通信部
１４…メールサーバ
１６…ＷＷＷサーバ
１８…入力部
２０…表示部
２２…出力部
２４…音声出力部
２６…ハードディスク
２８…登録者データベース
３０…配信データベース
３２…メールデータベース
３４…Ｗｅｂページ用データベース
３６…音声データベース
３８…登録者情報管理プログラム
４０…外部情報取得プログラム
４２…配信情報生成管理プログラム
４２Ａ…タイトル生成プログラム
４４…配信プログラム
４６…データ抽出プログラム
５０…一時データ
６０，６０Ａ，６０Ｂ…端末
６２…通信部
６４…表示部
６５…入力部
６６…出力部
６８…プログラム格納部
６８Ａ…ＷＷＷブラウザ
６８Ｂ…メーラー
７０…登録者
８０…中継現場
８２…撮影装置
８４…中継用端末
８６…通信部
９０…インターネット
９２…電話回線交換局
１００…受信画面
１０２…送信者
１０４…受信日時
１０６…タイトル
１０８…表示ボタン
１１０…本文画面
１１２…本文
１１４…リンク情報
１１６…電話番号
１２０…詳細画面
１２２…詳細情報
１２４…画像
１３０…履歴画面
【図１】
2004078663.tif 000003
【図２】
2004078663.tif 000004
【図３】
2004078663.tif 000005
【図４】
2004078663.tif 000006
【図５】
2004078663.tif 000007